(57)【要約】【課題】オールケーシング工法において、ケーシングの引き抜きが困難になるという問題点を解決し、簡易な手段によって、引き抜きが容易となるフリクションカットケーシングを提供する。【解決手段】フリクションカットケーシング１０において、ケーシング１１の下端にケーシング１１の円筒形の外壁面１１１よりもはみ出た状態に掘削刃２０が取り付けられ、ケーシング１１の外壁面１１１と、ケーシング１１の下端に取り付けられる掘削刃２０との間に、斜面１３を設けた。【選択図】図１
2018204382.tif 000002
【特許請求の範囲】
【請求項１】
円筒形のケーシングの外壁面と、該ケーシングの下端に該外壁面よりもはみ出た状態に取り付けられる掘削刃物との間に、斜面を設けたことを特徴とするフリクションカットケーシング。
【請求項２】
前記ケーシングの下端に、該ケーシングの外壁面との間に段差を持って該外壁面よりもはみ出た状態に固定された前記掘削刃物取付用のフォルダを備え、前記斜面が、該段差を埋めるように設けられた斜面であることを特徴とする請求項１に記載のフリクションカットケーシング。
【請求項３】
前記ケーシングの下端に該ケーシングの外壁面よりもはみ出た状態に固定され、下方ほど径方向に突き出た、前記斜面としての外壁面を有する前記掘削刃物取付用のフォルダを備えたことを特徴とする請求項１に記載のフリクションカットケーシング。
【発明の詳細な説明】
【技術分野】
【０００１】
本発明は、現場打ちコンクリート杭などを造成するとき、地中に鉛直な掘削孔を掘削するために用いる、フリクションカットケーシングに関する。
【背景技術】
【０００２】
基礎杭用の掘削孔を形成する工法として、オールケーシング工法が知られている。このオールケーシング工法は、直径が８００〜３０００ｍｍ程度の現場打ちコンクリート杭を造成するため、ケーシングと呼ばれる鋼管パイプを、掘削機で回転させながら鉛直に地盤中に圧入して、地盤を掘り下げ、ケーシング内の土砂をグラブハンマーで掘削排土する工法である。
【０００３】
このようなケーシングは、下端円周に沿って掘削刃が取付けられており、この掘削刃の外径はケーシングの外径より２０ｍｍ程度大きくなっている。これは、ケーシングの外径より僅か大径の孔を掘削し、ケーシング外周と地盤との間の摩擦を軽減するためであり、このようなケーシングをフリクションカットケーシングと呼んでいる。
【０００４】
フリクションカットケーシングには、地層の状態によっては、所望深さの掘削孔を形成した後、ケーシングを引き抜くことが困難になるという問題がある。これは、ケーシングを引き抜く際に、岩盤層での割れた岩石や砂礫層での砂礫が掘削孔の内壁とケーシングの外面間に挟まって、くさび作用を生ずるためである。
【０００５】
ケーシングは高価であり、ケーシングを引抜き回収できないと大きな損害を生じる。
【０００６】
このような問題を解決する技術も知られている（例えば、特許文献１参照）。
【０００７】
この技術は、ケーシングを回転させながら地盤中に押し込んでいく際に、滑材を水に分散させた滑材分散液を、ケーシングと掘削孔との間隙に充填するものである。この技術では、滑材分散液調製装置や注入装置等を必要とし、また、滑材分散液をケーシングの下端まで浸透させることが難しく、地層状況によっては期待される効果が得られないという問題がある。
【先行技術文献】
【特許文献】
【０００８】
【特許文献１】特開２００２−３４９１７０号公報（第２−４頁、図２）
【発明の概要】
【発明が解決しようとする課題】
【０００９】
本発明は、上述のオールケーシング工法において、ケーシングの引き抜きが困難になるという上記問題点を解決し、簡易な手段によって引き抜きが容易となる技術を提供することを目的とする。
【課題を解決するための手段】
【００１０】
本発明は、円筒形のケーシングの外壁面と、ケーシングの下端にケーシングの外壁面よりもはみ出た状態に取り付けられる掘削刃物との間に、斜面を設けたことを特徴とするフリクションカットケーシングである。
【００１１】
ここで、ケーシングの下端に、ケーシングの外壁面との間に段差を持ってその外壁面よりもはみ出た状態に固定された掘削刃物取付用のフォルダを備え、上記の斜面が、その段差を埋めるように設けられた斜面であってもよい。
【００１２】
あるいは、ケーシングの下端にケーシングの外壁面よりもはみ出た状態に固定され、下方ほど径方向に突き出た、上記斜面としての外壁面を有する掘削刃物取付用のフォルダを備えたフリクションカットケーシングであってもよい。
【発明の効果】
【００１３】
本発明によれば、掘削終了後のケーシングの抜き取りの際に、上記の斜面により、掘削切粉、粘土質土塊、小石、岩片などを排除することができるので、掘削終了後のケーシングの抜き取りが確実かつ容易となる。
【図面の簡単な説明】
【００１４】
【図１】本発明の第１実施形態としてのフリクションカットケーシングの側面図である。
【図２】図１に示す矢印Ｘ−Ｘに沿う断面図である。
【図３】本発明の第２実施形態としてのフリクションカットケーシングの側面図である。
【図４】図３に示す矢印Ｙ−Ｙに沿う断面図である。
【発明を実施するための形態】
【００１５】
以下、本発明の実施の形態について説明する。
【００１６】
図１は、本発明の第１実施形態としてのフリクションカットケーシングの側面図、図２は、図１に示す矢印Ｘ−Ｘに沿う断面図である。
【００１７】
この第１実施形態のフリクションカットケーシング１０は、鋼製円筒形のケーシング１１の下端に掘削刃取付用のフォルダ１２が固定され、そのフォルダ１２に掘削刃２０がボルト１４等により取り付けられている。フォルダ１２は、ケーシング１１の周回方向に複数備えられていて、各フォルダ１２のそれぞれに掘削刃２０が取り付けられている。各フォルダ１２は、ケーシング１１の外壁面１１１との間に段差１５をもってケーシング１１の外壁面１１１よりもはみ出た状態に、ケーシング１１の下端に固定されている。また、掘削刃２０も、フォルダ１２と同程度に、ケーシング１１の外壁面１１１からはみ出ている。このため、ケーシング１１の下端を周回方向に取り巻く複数の掘削刃２０全体の外径は、ケーシング外径よりも大径となっている。
【００１８】
掘削刃２０は、ケーシング１１を回転圧下するとき、地層を掘削する。ケーシング１１内の岩石等は、不図示のグラブハンマー等により地上に排除される。ここで、掘削刃２０の全体の外径はケーシング１１の外径よりも大径となっているため、掘削により、ケーシング１１の外径と掘削孔壁面３１との間には隙間２１が形成される。この隙間２１は、例えば１０ｍｍ程度の寸法に設定され、ケーシング１１の外壁面１１１と掘削孔壁面３１との接触を防止し、それらの間の摩擦を防ぐフリクションカットの役割を果たすものである。
【００１９】
しかしながら、特に対策をとらない場合、岩石や砂礫等がその隙間２１に詰まって「くさび」の作用を成し、掘削終了後のケーシング１１の引抜きを妨げる場合がある。
【００２０】
そこで、本実施形態のフリクションカットケーシング１０では、ケーシング１１の外壁面１１１と、その外壁面１１１との間に段差をもってケーシング１１の下端に取り付けられている掘削刃２０との間に斜面１３が設けられている。本実施形態の場合、具体的には、この斜面１３は、ケーシング１１の外壁面１１１と、そのケーシング１１の下端に固定されているフォルダ１２の外面とを繋いでいる。この斜面１３は、この斜面１３が設けられている部材の溶接等により、ケーシング１１およびフォルダ１２に固定される。ただし、この斜面１３の固定の仕方は溶接である必要はなく、如何なる手段でそこに設けられたものであってもよい。また、この斜面１３は、外面が斜面であればよく、ケーシング１１の外壁面１１１と段差１５をもって突き出たフォルダ１２との三角の部分全体を埋めるくさび形状の部材であってもよく、あるいは板形状の部材であって、その三角の部分に隙間が形成されていてもよい。
【００２１】
本実施形態のフリクションカットケーシング１０によれば、掘削終了後のケーシング１１の引抜きの際に、その斜面１３により岩石や砂礫等が排除され、ケーシング１１の引抜きが円滑に行われる。
【００２２】
図３は、本発明の第２実施形態としてのフリクションカットケーシングの側面図、図４は、図３に示す矢印Ｙ−Ｙに沿う断面図である。
【００２３】
これら図３，図４において、前述の第１実施形態における各要素に対応する要素には、形状の相違があっても、図１，図２において付した符号と同一の符号を付して示し、この第２実施形態の説明にあたっては、第１実施形態との相違点について説明する。
【００２４】
図３に示すフリクションカットケーシング１０の場合、フォルダ１２の外壁面自体が斜面１３となっている。この外壁面としての斜面１３は、ケーシング１１の引抜きの際に、前述の第１実施形態における斜面１３（図１，図２参照）と同じ作用を成す。すなわち、この第２実施形態のフリクションカットケーシング１０の場合も、掘削終了後のケーシング１１の引抜きの際にフォルダ１２の外壁面からなる斜面１３により岩石や砂礫等が排除され、ケーシング１１の引抜きを円滑に行なうことができる。
【符号の説明】
【００２５】
１０  フリクションカットケーシング
１１  ケーシング
１２  フォルダ
１３  斜面
１４  ボルト
１５  段差
２０  掘削刃
２１  隙間
３１  掘削孔壁面
【図１】
2018204382.tif 000003
【図２】
2018204382.tif 000004
【図３】
2018204382.tif 000005
【図４】
2018204382.tif 000006